(57)【要約】  オクタン価向上添加剤は、混合ブタノール組成物、ｓｅｃ−ブチルエーテル、メタノール、メチルｔｅｒｔ−ブチルエーテル、およびＣ４二量体を含み、混合ブタノール組成物がｓｅｃ−ブタノールおよびｔｅｒｔ−ブタノールを含み、Ｃ４二量体がジイソブチレン、２，２，４−トリメチルペンタン、２，３，３−トリメチルペンタンまたは前述の少なくとも１つを含む組み合わせを含む。【特許請求の範囲】
【請求項１】
混合ブタノール組成物、ｓｅｃ−ブチルエーテル、メタノール、メチルｔｅｒｔ−ブチルエーテル、およびＣ４二量体を含むオクタン価向上組成物であって、
前記混合ブタノール組成物がｓｅｃ−ブタノールおよびｔｅｒｔ−ブタノールを含み、
前記Ｃ４二量体がジイソブチレン、２，２，４−トリメチルペンタン、２，３，３−トリメチルペンタンまたは前述の少なくとも１つを含む組み合わせを含む
ことを特徴とするオクタン価向上組成物。
【請求項２】
請求項１に記載のオクタン価向上組成物であって、前記混合ブタノール組成物が、ｎ−ブタノール、イソブタノール、またはそれらの組み合わせをさらに含むことを特徴とする、オクタン価向上組成物。
【請求項３】
請求項１または２に記載のオクタン価向上組成物であって、メタノールが、０．４体積パーセント〜２体積パーセント、または０．５０体積パーセント〜０．９体積パーセント、または０．５５体積パーセント〜０．８０体積パーセントの量で存在し；
メチルｔｅｒｔ−ブチルエーテルが、６５〜９９．８体積パーセント、または６８〜９９．３％体積パーセント、または７０〜９５体積パーセントの量で存在し；
前記混合ブタノール組成物が、２〜３５体積パーセント、または３〜２９体積パーセント、または０．６〜３０体積パーセントの量で存在し；あるいは、
ｓｅｃ−ブチルエーテルが、０．３〜５体積パーセント、または０．４〜４体積パーセントの範囲で存在する
ことを特徴とするオクタン価向上組成物。
【請求項４】
請求項１から３のいずれか１項以上に記載のオクタン価向上組成物であって、前記Ｃ４二量体が、０．１〜３体積パーセントまたは０．１９〜２体積パーセントの範囲で存在することを特徴とする、オクタン価向上組成物。
【請求項５】
請求項１から４のいずれか１項以上に記載のオクタン価向上組成物であって、エタノール、イソプロピルアルコール、ｎ−プロピルアルコール、ｔｅｒｔ−アミルアルコール、または前述の少なくとも１つを含む組み合わせをさらに含むことを特徴とする、オクタン価向上組成物。
【請求項６】
請求項１から５のいずれか１項以上に記載のオクタン価向上組成物であって、エチルｔｅｒｔ−ブチルエーテル、ｔｅｒｔ−アミルメチルエーテル、ｔｅｒｔ−アミルエチルエーテル、ｔｅｒｔ−ヘキシルメチルエーテル、ジイソプロピルエーテル、または前述の少なくとも１つを含む組み合わせをさらに含むことを特徴とする、オクタン価向上組成物。
【請求項７】
ベースガソリン、および請求項１から６のいずれか１項以上に記載のオクタン価向上組成物を含むことを特徴とする、ガソリン組成物。
【請求項８】
請求項７に記載のガソリン組成物であって、６．０〜８．０ポンド毎平方インチのＲｅｉｄ蒸気圧；または、前記ベースガソリンのリサーチ法オクタン価より高いリサーチ法オクタン価および前記ベースガソリンのモーター法オクタン価より高いＭＯＮを有することを特徴とする、ガソリン組成物。
【請求項９】
請求項７から８のいずれか１項以上に記載のガソリン組成物であって、８８〜１１０のリサーチ法オクタン価および８２〜１０５のモーター法オクタン価を有することを特徴とする、ガソリン組成物。
【請求項１０】
請求項７から９のいずれか１項以上に記載のガソリン組成物であって、前記混合ブタノール組成物およびメタノールが、前記ガソリン組成物の０．５〜１０体積パーセント、または０．９〜５体積パーセントの合計量で存在することを特徴とする、ガソリン組成物。
【請求項１１】
請求項７から１０のいずれか１項以上に記載のガソリン組成物であって、前記ｓｅｃ−ブチルエーテルおよび前記メチルｔｅｒｔ−ブチルエーテルが、前記ガソリン組成物の０．０２〜３０体積パーセント、好ましくは０．０６〜２６体積パーセントの合計量で存在することを特徴とする、ガソリン組成物。
【請求項１２】
請求項７から１１のいずれか１項以上に記載のガソリン組成物であって、前記Ｃ４二量体が、前記ガソリン組成物の０．０１〜３体積パーセント、好ましくは０．０４体積パーセント〜１体積パーセントで存在することを特徴とする、ガソリン組成物。
【請求項１３】
請求項７から１２のいずれか１項以上に記載のガソリン組成物であって、前記ベースガソリンが、６０〜９７体積パーセント、好ましくは６５〜９５体積パーセント、より好ましくは７０〜９０体積パーセントで存在することを特徴とする、ガソリン組成物。
【請求項１４】
ガソリン組成物を調製する方法であって、ベースガソリン、および請求項１から６のいずれか１項以上に記載のオクタン価向上組成物の成分を混ぜ合わせて、好ましくはガソリン組成物を形成することを含むことを特徴とする方法。
【請求項１５】
請求項１４に記載の方法であって、前記オクタン価向上組成物が、前記ガソリン組成物中に３体積パーセント〜４０体積パーセント、好ましくは５体積パーセント〜３５体積パーセント、好ましくは１０体積パーセント〜３０体積パーセントの量で存在することを特徴とする方法。
【発明の詳細な説明】
【技術分野】
【０００１】
本出願は、ガソリン用燃料添加剤、該添加剤を含むガソリン、および該ガソリンを製造する方法に関する。
【背景技術】
【０００２】
内燃機関用の燃料である市販ガソリンは、通常、炭化水素（ベースガソリン）、添加剤およびブレンド剤の混合物である、精製した石油生成物である。添加剤およびブレンド剤、例えばオクタン価向上剤は、ガソリンの性能および安定性を高めるためにベースガソリンに添加される。
【０００３】
高度に圧縮する内燃機関において使用される場合、ガソリンは「ノッキング」する傾向がある。空気／燃料混合物の１個以上のポケットが正常燃焼前線のエンベロープの外側で先に発火するために、シリンダ中の空気／燃料混合物の燃焼が点火に応答して正確に始まらない場合に、ノッキングが起こる。アンチノック剤は、オクタン価向上剤としても知られ、エンジンのノッキング現象を低減し、ガソリンのオクタン価を上げる。四エチル鉛およびメチルシクロペンタジエニルマンガントリカルボニル（ＭＭＴ）などの先行オクタン価向上剤は、環境上、健康または他の理由のために段階的になくなったか、またはなくなりつつある。
【０００４】
オクタン価向上剤を配合するための使用において存在する好ましい化合物には、メチルｔｅｒｔ−ブチルエーテル（ＭＴＢＥ）、エチルｔｅｒｔ−ブチルエーテル（ＥＴＢＥ）ならびにｎ−ブタノールおよびその異性体などのＣ４含酸素化合物が含まれる。しかし、精油所での大量のこれらの材料の製造および貯蔵は高コストになり得る。さらに、高濃度の添加剤の使用に対する、規制による制約のため、ハイオクタン燃料を製造する精製操業の困難が増し、経費が上がる。ガソリンに匹敵し燃焼効率を上げるオクタン価を有する燃料添加剤または燃料に対するニーズがある。
【０００５】
前述のことを考慮すると、費用効果の高いオクタン価向上組成物、および該オクタン価向上組成物を含むガソリン組成物を提供するニーズが依然存在する。
【発明の概要】
【課題を解決するための手段】
【０００６】
様々な実施形態において、オクタン価向上添加剤、オクタン価向上添加剤を含むガソリン組成物、およびガソリン組成物を製造する方法が開示される。
【０００７】
オクタン価向上添加剤は、ｓｅｃ−ブタノールおよびｔｅｒｔ−ブタノールを含む混合ブタノール組成物、ｓｅｃ−ブチルエーテル、メタノール、メチルｔｅｒｔ−ブチルエーテル、ならびにジイソブチレン、２，２，４−トリメチルペンタン、２，３，３−トリメチルペンタンを含むＣ４二量体、または前述のものの少なくとも１つを含む組み合わせを含む。
【０００８】
ガソリン組成物は、ベースガソリン、および本明細書において開示されるオクタン価向上組成物を含む。
【０００９】
ガソリン組成物を調製する方法は、ベースガソリンおよび本明細書において開示されるオクタン価向上組成物を混ぜ合わせてガソリン組成物を形成することを含む。
【００１０】
ガソリン組成物を調製する方法は、ベースガソリンを、ｓｅｃ−ブタノールおよびｔｅｒｔ−ブタノールを含む混合ブタノール組成物、ｓｅｃ−ブチルエーテル、メタノール、メチルｔｅｒｔ−ブチルエーテル、ならびにジイソブチレン、２，２，４−トリメチルペンタン、２，３，３−トリメチルペンタンを含むＣ４二量体、または前述のものの少なくとも１つを含む組み合わせと混ぜ合わせることを含む。
【００１１】
上記および他の特徴は以下の発明を実施するための形態によって例示される。
【発明を実施するための形態】
【００１２】
本明細書において、含酸素添加剤の新規の組み合わせ、含酸素添加剤の新規の組み合わせを含むオクタン価向上組成物、および新規のオクタン価向上組成物を含むガソリン組成物が記載される。本発明者らは、本明細書において開示される新規のオクタン価向上組成物を含むガソリン組成物が、上昇したオクタン価を特徴とし、特に自動車市場に向けて、より良好な燃焼および内燃機関の性能の改善を提供することを見いだした。特に、含酸素添加剤の新規の組み合わせを含むガソリン組成物は、単一の含酸素添加剤としてエタノール、ＭＴＢＥまたはブタノールを含むガソリン組成物と比較して、より良好な性能特性を提供することができる。
【００１３】
「燃料用含酸素物質」、「ガソリン用含酸素物質」および単に「含酸素物質」という用語は、１個以上の酸素原子を含み、ガソリンの酸素含有率を上げることによりガソリンのオクタン価を改善するのに効果的なガソリン添加剤の種類を指す。ほとんどの含酸素物質は、アルコールまたはエーテルのいずれか、例えばメタノール（ＭｅＯＨ）、エタノール（ＥｔＯＨ）、イソプロピルアルコール（ＩＰＡ）、ｎ−プロピルアルコール（ＮＰｒＯＨ）、イソブタノール（ＩＢＡ）、ｎ−ブタノール（ＢｕＯＨ）、ｓｅｃ−ブチルアルコール（ＳＢＡ）、ｔｅｒｔ−ブチルアルコール（ＴＢＡ）、またはガソリン等級のｔｅｒｔ−ブチルアルコール（ＧＴＢＡ）、ｔｅｒｔ−アミルアルコール（ＴＡＡ）もしくはｔｅｒｔ−ペンタノール、メチルｔｅｒｔ−ブチルエーテル（ＭＴＢＥ）、エチルｔｅｒｔ−ブチルエーテル（ＥＴＢＥ）、ｔｅｒｔ−アミルメチルエーテル（ＴＡＭＥ）、ｔｅｒｔ−アミルエチルエーテル（ＴＡＥＥ）、ｔｅｒｔ−ヘキシルメチルエーテル（ＴＨＥＭＥ）およびジイソプロピルエーテル（ＤＩＰＥ）である。これらの含酸素物質は、当技術分野で公知である、任意の公知で許容できる化学反応および生物学的反応、例えば、ＭＴＢＥまたはＥＴＢＥをそれぞれ生成するイソブチレンとメタノールまたはエタノールとの間の化学反応、バイオエタノールを生成する糖の微生物発酵などによって製造することができる。製造プロセスは、純度を上げ、水を除去するために、精製工程、蒸留工程、または脱水工程をさらに含むことができる。
【００１４】
含酸素添加剤の新規の組み合わせは、混合ブタノール組成物、ｓｅｃ−ブチルエーテル、メタノール、メチルｔｅｒｔ−ブチルエーテルおよびＣ４二量体を含む。
【００１５】
混合ブタノール組成物はｓｅｃ−ブタノールおよびｔｅｒｔ−ブタノールを含む。ｓｅｃ−ブタノールとｔｅｒｔ−ブタノールの相対的割合は様々であってもよく、例えば１：９９〜９９：１、１０：９０〜９０：１０、または２０：８０、または８０：２０、または３０：７０〜７０：３０のｓｅｃ−ブタノール：ｔｅｒｔ−ブタノールの体積比であってもよい。実施形態において、ｓｅｃ−ブタノール：ｔｅｒｔ−ブタノールの体積比は２：１〜３：１である。好ましい体積比は２．４：１である。混合ブタノール組成物は、ｎ−ブタノール、イソブタノール、またはそれらの組み合わせをさらに含むことができる。ｎ−ブタノール、イソブタノールまたはそれらの組み合わせの量は、１〜９０体積パーセント（体積％）、１〜８０体積％または１〜７０体積％、または１〜６０体積％、または１〜５０体積％、または１〜４０体積％、または１〜３０体積％、または１〜２０体積％であってもよい。実施形態において、ｎ−ブタノール、イソブタノールまたはそれらの組み合わせの量は、８４体積％である。
【００１６】
Ｃ４二量体は、ジイソブチレン；２，２，４−トリメチルペンタン；２，３，３−トリメチルペンタン；または前述のものの少なくとも１つを含む組み合わせを含む。Ｃ４二量体組成物中の前述の成分のそれぞれの相対量について特別な制約はない。
【００１７】
混合ブタノール組成物、ｓｅｃ−ブチルエーテル、メタノール、メチルｔｅｒｔ−ブチルエーテル、およびＣ４二量体を、ベースガソリンに添加して、ガソリン組成物を形成することができる。混合ブタノール組成物、ｓｅｃ−ブチルエーテル、メタノール、メチルｔｅｒｔ−ブチルエーテル、およびＣ４二量体は、それぞれベースガソリンに個々に添加することができる。
【００１８】
代替として、混合ブタノール組成物、ｓｅｃ−ブチルエーテル、メタノール、メチルｔｅｒｔ−ブチルエーテル、およびＣ４二量体の少なくとも２つを、ブレンドして、予備混合されたオクタン価向上添加剤を形成することができる。幾つかの実施形態において、混合ブタノール組成物、ｓｅｃ−ブチルエーテル、メタノール、メチルｔｅｒｔ−ブチルエーテル、およびＣ４二量体は、単一のオクタン価向上組成物中でブレンドされる。オクタン価向上組成物を、次にベースガソリンに添加して、ガソリン組成物を得ることができる。
【００１９】
したがって、オクタン価向上組成物は、混合ブタノール組成物、ｓｅｃ−ブチルエーテル、メタノール、メチルｔｅｒｔ−ブチルエーテル、およびＣ４二量体を含む。混合ブタノール組成物は、２〜３５体積％、または３〜２９体積％、または０．６〜３０体積％の量でオクタン価向上組成物中に存在することができる。Ｃ４二量体は、０．１〜３体積％または０．１９〜２体積％の範囲でオクタン価向上組成物中に存在することができる。メタノールは、０．４体積％〜２体積％または０．５０体積％〜０．９体積％、または０．５５体積％〜０．８０体積％の量でオクタン価向上組成物中に存在することができる。ＭＴＢＥは、６５〜９９．８体積％、または６８〜９９．３％体積％、または７０〜９５体積％の量でオクタン価向上組成物中に存在することができる。前述の量のそれぞれは、オクタン価向上組成物の合計体積、すなわち、混合ブタノール組成物、ｓｅｃ−ブチルエーテル、メタノール、メチルｔｅｒｔ−ブチルエーテル、およびＣ４二量体の合計体積に基づく。
【００２０】
オクタン価向上組成物またはその成分は、ベースガソリンに直接添加することができる。しかし、オクタン価向上組成物またはその成分を、鉱油、ナフサ、ベンゼン、トルエンまたはキシレンなどの実質的に不活性で、通常液体の有機希釈剤で希釈して、添加剤濃縮物を形成することができる。これらの濃縮物は、０．１〜８０重量％、または約１重量％〜８０重量％、または１０重量％〜８０重量％のオクタン価向上組成物を含むことができ、さらに、下記のように当技術分野で公知の１種以上の他の添加剤を含むことができる。１５重量％、２０重量％、３０重量％または５０重量％以上などの濃度を使用することができる。濃縮物は、任意の順序で任意の温度、例えば２３〜７０℃で所望の成分を混ぜ合わせることにより調製することができる。
【００２１】
また、ベースガソリンおよび本明細書において開示されるオクタン価向上組成物を含むガソリン組成物が開示される。ガソリン組成物において、ベースガソリンは６０〜９７体積％、好ましくは６５〜９５体積％、より好ましくは７０〜９０体積％の量で存在する。オクタン価向上組成物は、それぞれガソリン組成物の合計体積に対して３〜４０体積％、好ましくは５〜３５体積％、好ましくは１０〜３０体積％の量でガソリン組成物中に存在することができる。
【００２２】
ガソリン組成物は、ベースガソリン、および本明細書において開示されるオクタン価向上組成物の成分を別々にまたは任意の組み合わせて混ぜ合わせることにより調製することができる。
【００２３】
混合ブタノール組成物は、それぞれガソリン組成物の合計体積に対して０．５〜２０体積％、好ましくは０．７〜１０体積％、より好ましくは０．８〜５体積％の合計量で存在することができる。
【００２４】
メタノールは、それぞれガソリン組成物の合計体積に対して０．０２〜０．３体積％、好ましくは０．０４〜０．２５体積％、より好ましくは０．０８〜０．２０体積％の合計量でガソリン組成物中に存在することができる。
【００２５】
ｓｅｃ−ブチルエーテルおよびメチルｔｅｒｔ−ブチルエーテルは、それぞれガソリン組成物の合計体積に対して０．０２〜３０体積％、好ましくは０．０６〜２６体積％の合計量でガソリン組成物中に存在することができる。
【００２６】
Ｃ４二量体は、それぞれガソリン組成物の合計体積に対して、０．０１〜２体積％、好ましくは０．０４体積％〜１体積％の量でガソリン組成物中に存在することができる。
【００２７】
オクタン価向上組成物は、当技術分野で公知の他の添加剤、例えば発泡防止剤、凍結防止剤、追加のアンチノック剤、酸化防止剤、耐摩耗剤、色安定剤、防蝕剤、清浄剤、分散剤、染料、極圧剤、掃鉛剤、金属不活性化剤は、流動点降下剤、上側シリンダ潤滑剤、粘度向上剤などをさらに含むことができる。そのような添加剤の量は、具体的な添加剤に依存し、当業者によって容易に求めることができる。
【００２８】
安定な泡の形成を低減または防止するために使用される発泡防止剤は、シリコーンまたは有機高分子を含む。酸化防止剤、防蝕剤および極圧剤は、塩素化脂肪族炭化水素、有機硫化物およびポリスルフィド、ジヒドロ炭素およびトリヒドロ炭素ホスファイトを含むリンエステル、モリブデン化合物などによって例示される。他の酸化防止剤は、アルキル化ジフェニルアミン、ヒンダードフェノール、特にフェノール−ＯＨ基に対してオルト位の第三級ブチル基などの第三級アルキル基を有するものなど。
【００２９】
清浄剤および分散剤は、灰分生成型または無灰型であってもよい。灰分生成型の清浄剤は、スルホン酸、カルボン酸、フェノール、または少なくとも１個の炭素−リン直接連結を特徴とする有機リン酸との、アルカリもしくはアルカリ土類金属の油溶性の中性および塩基性塩によって例示される。無灰型の清浄剤および分散剤は、燃焼して酸化ホウ素または五酸化リンなどの不揮発性残留物を生成し得るが、しかし、通常は金属を含まず、そのため、燃焼して金属含有灰分を生成しない。例としては、アミン、フェノールおよびアルコールなどの有機ヒドロキシ化合物、ならびに／または塩基性無機物などの窒素含有化合物との、３４〜５４の炭素原子を含有するカルボン酸（またはそれらの誘導体）の反応生成物を含む。
【００３０】
粘度向上剤は通常、ポリマー、例えばポリイソブテン、ポリ（メタクリル酸エステル）、水素化ジエンポリマー、ポリアルキルスチレン、エステル化スチレン−無水マレイン酸コポリマー、水素化アルケニルアレーン−共役ジエンコポリマーおよびポリオレフィンである。
【００３１】
特に、オクタン価向上組成物は、他の含酸素化合物、例えば他のアルコール、エステルまたはエーテル含酸素物質をさらに含むことができる。含むことができる他のアルコールの例は、エタノール、イソプロピルアルコール、ｎ−プロピルアルコール、ｔｅｒｔ−アミルアルコール、または前述のものの少なくとも１つを含む組み合わせである。含むことができる他のエーテルの例は、エチルｔｅｒｔ−ブチルエーテル、ｔｅｒｔ−アミルメチルエーテル、ｔｅｒｔ−アミルエチルエーテル、ｔｅｒｔ−ヘキシルメチルエーテル、ジイソプロピルエーテル、または前述のものの少なくとも１つを含む組み合わせである。含むことができるエステルの例は、酢酸イソアミル、酢酸アミル、プロピオン酸イソアミル、ノナン酸イソアミル、酢酸イソブチル、酪酸メチル、カプロン酸メチル、カプリル酸メチル、または前述のものの少なくとも１つを含む組み合わせである。これらのさらなる含酸素化合物は、それぞれガソリン組成物の合計体積に対して、０．０２〜２０体積％または０．１〜１０体積％の量で存在することができる。
【００３２】
他のアンチノック添加剤には、キシレン、ベンゼン、トルエン、アニリンなどが含まれる。
【００３３】
ガソリン組成物は、６．０〜８．０ｐｓｉ、好ましくは６．５〜７．８ｐｓｉのＲｅｉｄ蒸気圧（ＲＶＰ）を有することを特徴とすることができる。ガソリン組成物はまた、ベースガソリンのリサーチ法オクタン価（ＲＯＮ）より高いＲＯＮ、およびベースガソリンのモーター法オクタン価（ＭＯＮ）より高いＭＯＮを有することを特徴とすることができる。例えば、ガソリン組成物は８８〜１１０、好ましくは９０〜１０５のＲＯＮ、および８２〜１０５のＭＯＮを有することができる。
【実施例】
【００３４】
この開示は、非限定的な以下の例によって、さらに例証される。
【００３５】
実施例１：燃料添加剤を含むガソリンブレンド
アルコール、エーテルまたはＣ４二量体から選択された可能性のある様々な添加剤を下記表１に示す特性を有するベースガソリンに添加する。各ガソリンブレンドの組成を表２および３に示す。
【００３６】
【表１】
2020508374.tif 000002
【００３７】
Ｒｅｉｄ蒸気圧（ＲｖＰ）、リサーチ法オクタン価（ＲＯＮ）、およびモーター法オクタン価（ＭＯＮ）を各ブレンドについて測定する。
【００３８】
ＲｖＰはガソリンの揮発性の指標である。それは、試験法ＡＳＴＭ  Ｄ  ３２３に従って求めて１００°Ｆ（３７．８℃）で液体（例えば、ガソリン）が及ぼす絶対蒸気圧として定義される。
【００３９】
ＲＯＮは、エンジンの低負荷かつ低回転速度でのノッキング挙動を表し、ＤＩＮ  ＥＮ  ＩＳＯ  ５１６４（ＡＳＴＭ  Ｄ  ２６９９）に従って求められる。
【００４０】
ＭＯＮは、エンジンの高負荷かつ高い熱応力での挙動を表し、ＤＩＮ  ＥＮ  ＩＳＯ  ５１６３（ＡＳＴＭ  Ｄ  ２７００）に従って求められる。
【００４１】
ベースガソリンおよびブレンドのそれぞれについての試験結果を下記表２および３に示す。
【００４２】
【表２】
2020508374.tif 000003
【００４３】
【表３】
2020508374.tif 000004
【００４４】
本開示は以下の態様をさらに包含する。
【００４５】
態様１  ｓｅｃ−ブタノールおよびｔｅｒｔ−ブタノールを含む混合ブタノール組成物、ｓｅｃ−ブチルエーテル、メタノール、メチルｔｅｒｔ−ブチルエーテル、ならびにジイソブチレン、２，２，４−トリメチルペンタン、２，３，３−トリメチルペンタンを含むＣ４二量体、または前述のものの少なくとも１つを含む組み合わせを含むオクタン価向上組成物。
【００４６】
態様２  態様１に記載のオクタン価向上組成物であって、混合ブタノール組成物がｎ−ブタノール、イソブタノールまたはそれらの組み合わせをさらに含むオクタン価向上組成物。
【００４７】
態様３  態様１または２に記載のオクタン価向上組成物であって、メタノールが、０．４体積％〜２体積％、０．５０体積％〜０．９体積％、０．５５体積％〜０．８０体積％の量で存在するオクタン価向上組成物。
【００４８】
態様４  態様１から３のいずれか１つ以上に記載のオクタン価向上組成物であって、メチルｔｅｒｔ−ブチルエーテルが、６５〜９９．８体積％、６８〜９９．３％体積％、７０〜９５体積％の量で存在するオクタン価向上組成物。
【００４９】
態様５  態様１から４のいずれか１つ以上に記載のオクタン価向上組成物であって、混合ブタノール組成物が、２〜３５体積％、３〜２９体積％、０．６〜３０体積％の量で存在するオクタン価向上組成物。
【００５０】
態様６  態様１から５のいずれか１つ以上に記載のオクタン価向上組成物であって、ｓｅｃ−ブチルエーテルが、０．３〜５体積％、０．４〜４体積％の範囲で存在するオクタン価向上組成物。
【００５１】
態様７  態様１から６のいずれか１つ以上に記載のオクタン価向上組成物であって、Ｃ４二量体が、０．１〜３体積％、０．１９〜２体積％の範囲で存在するオクタン価向上組成物。
【００５２】
態様８  態様１から７のいずれか１つ以上に記載のオクタン価向上組成物であって、エタノール、イソプロピルアルコール、ｎ−プロピルアルコール、ｔｅｒｔ−アミルアルコール、または前述のものの少なくとも１つを含む組み合わせをさらに含むオクタン価向上組成物。
【００５３】
態様９  態様１から８のいずれか１つ以上に記載のオクタン価向上組成物であって、エチルｔｅｒｔ−ブチルエーテル、ｔｅｒｔ−アミルメチルエーテル、ｔｅｒｔ−アミルエチルエーテル、ｔｅｒｔ−ヘキシルメチルエーテル、ジイソプロピルエーテル、または前述のものの少なくとも１つを含む組み合わせをさらに含むオクタン価向上組成物。
【００５４】
態様１０  ベースガソリン、および態様１から９のいずれか１つ以上に記載のオクタン価向上組成物を含むガソリン組成物。
【００５５】
態様１１  ６．０〜８．０ｐｓｉのＲｅｉｄ蒸気圧（ＲＶＰ）を有する態様１０に記載のガソリン組成物。
【００５６】
態様１２  態様１０または１１記載のガソリン組成物であって、ベースガソリンのリサーチ法オクタン価（ＲＯＮ）より高いＲＯＮ、およびベースガソリンのモーター法オクタン価（ＭＯＮ）より高いＭＯＮを有するガソリン組成物。
【００５７】
態様１３  態様１０から１２のいずれか１つ以上に記載のガソリン組成物であって、８８〜１１０のＲＯＮおよび８２〜１０５のＭＯＮを有するガソリン組成物。
【００５８】
態様１４  態様１０から１３のいずれか１つ以上に記載のガソリン組成物であって、混合ブタノール組成物およびメタノールが、ガソリン組成物の０．５〜１０体積％、０．９〜５体積％の合計量で存在するガソリン組成物。
【００５９】
態様１５  態様１０から１４のいずれか１つ以上に記載のガソリン組成物であって、ｓｅｃ−ブチルエーテルおよびメチルｔｅｒｔ−ブチルエーテルが、ガソリン組成物の０．０２〜３０体積％、好ましくは０．０６〜２６体積％の合計量で存在するガソリン組成物。
【００６０】
態様１６  態様１０から１５のいずれか１つ以上に記載のガソリン組成物であって、Ｃ４二量体が、ガソリン組成物の０．０１〜３体積％、好ましくは０．０４体積％〜１体積％で存在するガソリン組成物。
【００６１】
態様１７  態様１０から１６のいずれか１つ以上に記載のガソリン組成物であって、ベースガソリンが、６０〜９７体積％、好ましくは６５〜９５体積％、より好ましくは７０〜９０体積％で存在するガソリン組成物。
【００６２】
態様１８  ベースガソリン、および態様１から９のいずれか１つ以上に記載のオクタン価向上組成物の成分を混ぜ合わせて、ガソリン組成物を形成することを含む、ガソリン組成物を調製する方法。
【００６３】
態様１９  態様１８に記載の方法であって、オクタン価向上組成物が、３体積％〜４０体積％、または好ましくは５体積％〜３５体積％、好ましくは１０体積％〜３０体積％の量でガソリン組成物中に存在する方法。
【００６４】
態様２０  態様２０に記載の方法であって、混合ブタノール組成物は、ガソリン組成物中に０．５〜２０体積％、好ましくは０．７〜１０体積％、より好ましくは０．８〜５体積％の合計量で存在する方法。
【００６５】
態様２１  態様１８から２０のいずれか１つ以上に記載の方法であって、メタノールが、０．０２〜０．３体積％、好ましくは０．０４〜０．２５体積％、より好ましくは０．０８〜０．２０体積％の合計量でガソリン組成物中に存在する方法。
【００６６】
態様２２  態様１８から２１のいずれか１つ以上に記載の方法であって、ｓｅｃ−ブチルエーテルおよびメチルｔｅｒｔ−ブチルエーテルが、ガソリン組成物の０．０２〜３０体積％、好ましくは０．０６〜２６体積％の合計量でガソリン組成物中に存在する方法。
【００６７】
態様２３  態様１８から２２のいずれか１つ以上に記載の方法であって、Ｃ４二量体が、０．０１〜２体積％、好ましくは０．０４体積％〜１体積％の量でガソリン組成物中に存在する方法。
【００６８】
態様２４  態様１８から２３のいずれか１つ以上に記載の方法によって製造されたガソリン組成物。
【００６９】
組成物および方法、ならびに物品は、代替として、本明細書において開示される任意の好適な材料、工程または成分を含み、それらからなり、または本質的にそれらからなることができる。組成物、方法および物品は、さらにまたは代替として、組成物、方法および物品の機能または目標の達成に、他の点では必要でない任意の材料（または化学種）、工程または成分を欠くように、または実質的に含まないように処方することができる。
【００７０】
本明細書において開示される範囲はすべて、終点を包括し、終点は独立して互いに併合可能である（例えば、「最大２５重量％、または、より具体的には、５重量％〜２０重量％」という範囲は、終点および「５重量％〜２５重量％」などの範囲の中間値すべてを包括する）。「組み合わせ」は、ブレンド、混合物、アロイ、反応生成物などを包括する。用語「ａ」、「ａｎ」および「ｔｈｅ」は、本明細書においてほかに指示されないか、または文脈が明確に矛盾するのでない限り、量の制約を意味せず、単数および複数の両方を包含すると解釈されるべきである。ほかに明示されない限り、「ｏｒ」は「ａｎｄ／ｏｒ」を意味する。本明細書全体を通して「幾つかの実施形態」、「実施形態」などへの言及は、実施形態に関連して記載される具体的な要素が、本明細書において記載される少なくとも１つの実施形態に含まれ、他の実施形態に存在してもよいが、存在しなくてもよいことを意味する。さらに、記載される要素が、様々な実施形態において任意の適切な方式で組み合わせられてもよいことは理解されるべきである。
【００７１】
本明細書において引用される試験法はすべて、本出願の優先日の時点で有効なものである。
【００７２】
ほかに定義されない限り、本明細書において使用される技術および科学用語は、本出願が属する当業者によって一般に理解されるものと同じ意味を有する。すべての引用された特許、特許出願、および他の参考文献は、その全体を本願に引用して援用する。しかし、本出願における用語が、援用される参考文献の用語と矛盾するかまたは対立する場合、本出願からの用語は、援用される参考文献からの対立する用語に優先する。
【００７３】
具体的な実施形態が記載されているが、現在は予見されないか、または予見することができない、代替、変形、修正、改善、および実質的な均等物が、出願人または他の当業者に想起されてもよい。したがって、出願され、補正されてもよい添付される特許請求の範囲は、そのような代替、変形、修正、改善、および実質的な均等物をすべて包含するように意図される。
【国際調査報告】
2020508374.tif 000005
2020508374.tif 000006
2020508374.tif 000007